(57)【要約】      （修正有）【課題】鋼製の測定テープが出入りする際に、同測定テープの横ぶれにより測定テープ長手方向の側縁部とダンパの測定テープ通過路内や出入り口における側壁とが接触して生ずる同側壁の傷付きを防止して、巻尺を長期に渡り安定かつ安全に使用することができる環境に優しい巻尺のダンパ用のアタッチメント部材を提供する。【解決手段】自動巻取り式の巻尺におけるケースのテープ出入り口に配設したダンパ７に装着できるように構成してなるアタッチメント部材であって、前記ダンパ７における測定テープ８の両側縁部８ａ，８ａに対峙する部位に装着可能な大きさに形成してなる２個一組で構成するセラミックス素材からなるプレート体の一側を滑らかな表面とするとともに、この裏面における所定の部位に、保護紙によって粘着面が保護された接着手段を設けた。【選択図】図６
0003146256.tif 000002
【実用新案登録請求の範囲】
【請求項１】
ケース内に、測定テープを周囲に巻き回し、同測定テープを巻き取り方向に付勢する付勢手段を内装する回転ドラムが回転自在に支持された自動巻取り式の巻尺におけるケースのテープ出入り口に配設したダンパに装着できるように構成してなるアタッチメント部材であって、前記ダンパにおける測定テープの両側縁部に対峙する部位に装着可能な大きさに形成してなる２個一組で構成するセラミックス素材からなるプレート体の一側を滑らかな表面とするとともに、この裏面における所定の部位に、保護紙によって粘着面が保護された接着手段を設けてなるダンパ用のアタッチメント部材。
【請求項２】
前記プレート体の下端辺に続いてプレート体の滑らかな表面側に向かう折曲片部を設けており、同プレート体を前記ダンパにおける測定テープの両側縁部に対峙する部位の表面に接着した際に、同折曲片部が同ダンパにおける測定テープの先端に配したフックが当接する当接片の上面に沿うように位置してなる請求項１に記載のダンパ用のアタッチメント部材。
【請求項３】
前記折曲片部の前記ダンパにおける当接片の上面と対向する面に、保護紙によって粘着面が保護された接着手段を設けてなる請求項２に記載のダンパ用のアタッチメント部材。
【請求項４】
前記折曲片部における前記測定テープの引き出し方向側の端縁部に、同折曲片部の下方に向かう縁片を設けており、プレート体を前記ダンパにおける測定テープの両側縁部に対峙する部位の表面に接着した際に、同折曲片部が同ダンパにおける測定テープの先端に配したフックが当接する当接片の上面に沿うように位置するとともに、同縁片が同ダンパにおける測定テープの先端に配したフックが当接する当接片のフック当接面に沿うように位置してなる請求項２に記載のダンパ用のアタッチメント部材。
【請求項５】
前記縁片の前記ダンパにおける当接片のフック当接面に対向する面に、保護紙によって粘着面が保護された接着手段を設けてなる請求項４に記載のダンパ用のアタッチメント部材。
【請求項６】
前記プレート体の裏面、同折曲片部の前記ダンパにおける当接片の上面に対向する面、同縁片の前記ダンパにおける当接片のフック当接面に対向する面の少なくとも一箇所に、保護紙によって粘着面が保護された接着手段を設けてなる請求項１に記載のダンパ用のアタッチメント部材。
【請求項７】
前記セラミックス素材に、ファインセラミックスを用いてなる請求項１に記載のダンパ用のアタッチメント部材。
【考案の詳細な説明】
【技術分野】
【０００１】
本考案は、測定テープ自動巻取り式の巻尺におけるケースのテープ出入り口に配設したダンパに装着するアタッチメント部材に関し、より詳しくはケース内外に出入りする測定テープの接触によるダンパの傷付き防止するためのアタッチメント部材に関する。
【背景技術】
【０００２】
従来、巻尺におけるケースの測定テープ出入り口には樹脂素材からなるダンパ（衝撃緩衝装置）を設けていて、測定テープがケース内に引き込まれる際に、測定テープ先端に設けられ、一般的にはＬ字状の金具で構成する掛け止め片であるフックが、同ケースにおける測定テープ出入り口の周囲にぶつかるときの衝突エネルギーを緩和するようにしている（例えば、特許文献１参照）。
【０００３】
しかしながら、鋼製の測定テープが出入りする際に同測定テープが横ぶれして、測定テープ長手方向の両側縁部が前記ダンパの測定テープ通過路内や出入り口における左右の側壁に接触することが多く、この接触によって前記ダンパの内側壁に筋状の傷を付くという問題があった。
【０００４】
そして、この筋状の傷が一度付いてしまうと、測定テープの出入りの際に測定テープに横ぶれが生じると、同測定テープはこの傷に案内され、そして傷は測定テープとの度重なる接触によってより深く削り込まれ、最終的にはダンパが切断し、破損したダンパの破片が飛び散って使用者が負傷する恐れがあった。
【０００５】
また、上述のように前記測定テープの側縁部が傷に案内されて、ダンパの傷が深く削り込まれるのに伴い、測定テープ上下面に印刷している目盛りが同傷部との摺動により磨耗して印刷が薄れ、測定作業の際における目盛りの視認性が低下し、測定精度が低下する恐れもあった。
【０００６】
この他にも、引き出した測定テープをケース内に巻き込む際に、ダンパの側壁に付いた傷に測定テープの側縁部が接触することで、測定テープをケース内に巻き込むための回転ドラム内に備える付勢手段に負荷が掛かり、同付勢手段の劣化につながる恐れがあって、特に、回転ドラムの回転抵抗を低減して測定テープの巻き込み速度を低速にしている巻尺では、同回転ドラム内に備える付勢手段の劣化が顕著に現れる恐れがあった。
【０００７】
そして、上述のように目盛りが薄れてきた場合、職業的に巻尺を用いる大多数の使用者は巻尺を交換してしまうので、機構的には充分使用に耐え得るすなわち耐用年数に到達していない巻尺が廃棄処分されていて、結果廃棄物の増加をもたらし、環境に優しい製品とは言い難いものであった。
【０００８】
【特許文献１】特開２００４−２５７７４号公報（第１〜１０頁、図１〜１０）
【考案の開示】
【考案が解決しようとする課題】
【０００９】
本考案は、鋼製の測定テープが出入りする際に、同測定テープの横ぶれによって測定テープ長手方向の側縁部とダンパの測定テープ通過路内や出入り口における側壁とが接触することにより生ずる同側壁の傷付きを防止して、巻尺を長期に渡り安定かつ安全に使用できるようにするために、ケースのテープ出入り口に配設したダンパに容易に装着できるダンパの傷付き防止用のアタッチメント部材を提供できるようにした。
【課題を解決するための手段】
【００１０】
上述した課題を解決するために、本考案に係るダンパ用のアタッチメント部材は、ケース内に、測定テープを周囲に巻き回し、同測定テープを巻き取り方向に付勢する付勢手段を内装する回転ドラムが回転自在に支持された自動巻取り式の巻尺におけるケースのテープ出入り口に配設したダンパに装着できるように構成してなるアタッチメント部材であって、前記ダンパにおける測定テープの両側縁部に対峙する部位に装着可能な大きさに形成してなる２個一組で構成するセラミックス素材からなるプレート体の一側を滑らかな表面とするとともに、この裏面における所定の部位に、保護紙によって粘着面が保護された接着手段を設けたものとしてある。
【００１１】
また前記プレート体の下端辺に続いてプレート体の滑らかな表面側に向かう折曲片部を設けており、同プレート体を前記ダンパにおける測定テープの両側縁部に対峙する部位の表面に接着した際に、同折曲片部が同ダンパにおける測定テープの先端に配したフックが当接する当接片の上面に沿うように位置するものとしてある。
【００１２】
そして前記折曲片部の前記ダンパにおける当接片の上面と対向する面に、保護紙によって粘着面が保護された接着手段を設けたものとしてある。
【００１３】
また前記折曲片部における前記測定テープの引き出し方向側の端縁部に、同折曲片部の下方に向かう縁片を設けており、プレート体を前記ダンパにおける測定テープの両側縁部に対峙する部位の表面に接着した際に、同折曲片部が同ダンパにおける測定テープの先端に配したフックが当接する当接片の上面に沿うように位置するとともに、同縁片が同ダンパにおける測定テープの先端に配したフックが当接する当接片のフック当接面に沿うように位置するものとしてある。
【００１４】
そして前記縁片の前記ダンパにおける当接片のフック当接面に対向する面に、保護紙によって粘着面が保護された接着手段を設けたものとしてある。
【００１５】
また前記プレート体の裏面、同折曲片部の前記ダンパにおける当接片の上面に対向する面、同縁片の前記ダンパにおける当接片のフック当接面に対向する面の少なくとも一箇所に、保護紙によって粘着面が保護された接着手段を設けたものとしてある。
【００１６】
さらに前記セラミックス素材に、ファインセラミックスを用いたものとしてある。
【考案の効果】
【００１７】
本考案のダンパ用のアタッチメント部材によれば、アタッチメント部材に設けている接着手段によって同アタッチメント部材をケースのテープ出入り口に配設したダンパに後から容易に装着できるので、アタッチメント部材を装着した後は、鋼製の測定テープが出入りする際に同測定テープが横ぶれしても、測定テープ長手方向の側縁部はアタッチメント部材であるセラミックス素材で形成したダンパのガイドとなるプレート体に接触するので、樹脂素材からなるダンパの側壁には傷が付くことがない。
【００１８】
そして、アタッチメント部材のプレート体を高硬度のセラミックス素材で形成し、さらに同プレート体の測定テープの側縁部との対向面を滑らかにしているので、測定テープがケースの出入りする際に、測定テープの側縁部がプレート体に接触しても同側縁部はプレート体の接触面上を滑るように低摩擦で通過でき、測定テープ自体にも傷がつきにくく、したがって測定テープに表示している目盛りも長期に渡ってはっきりと見ることができて、巻尺を長期に渡り安定して使用することができる。
【００１９】
また、測定テープの度重なる接触によるダンパの損傷や切断を防止できるので、破損したダンパの破片が飛び散ることがなく、使用者の安全も確保できる。
【００２０】
さらに、前述のようにガイドとなるプレート体によってダンパの側壁への傷付きが防止され、そしてプレート体に測定テープの側縁部が接触しても同側縁部がプレート体の接触面上を滑るように通過できるため、引き出した測定テープをケース内に巻き込む際の回転ドラム内に備える付勢手段に掛かる負荷が安定し、同付勢手段の劣化を格段に抑えることができる。
【考案を実施するための最良の形態】
【００２１】
本考案に係るダンパ用のアタッチメント部材１は、図１に示すように、セラミックス素材で形成した２個（左右）一組の部材で構成し、図４に示した巻尺ケース１０の前面下方に配した測定テープ出入り口１０ａ内に配したダンパ７の右側寄りおよび左側寄りに、後から装着できるように構成したものである。
【００２２】
これらアタッチメント部材１のプレート体たるガイド２、２の表面２ａ、２ａは非常に滑らかな面にしている。
【００２３】
またガイド２、２の測定テープ８の両側縁部８ａ、８ａと対峙する面と反対側の面である裏面２ｂ、２ｂには、保護紙によって粘着面を保護した接着手段たる例えば両面テープ等の粘着部材５、５を設けている。
【００２４】
そして、ガイド２、２の下端辺に続いて同ガイド２、２の表面２ａ、２ａ側に向かう折曲片３、３を設けていて、この折曲片３、３の裏面（測定テープに臨む面とは反対側の面）にも、保護紙によって粘着面を保護した接着手段たる粘着部材５、５を設けている。
【００２５】
さらに、折曲片３、３における測定テープ８（図４参照）の引き出し方向側の端縁部に、同折曲片３、３の下方に向かう縁片４、４を設けていて、この縁片４、４の裏面（測定テープの引き出し方向とは反対側の面）にも、保護紙によって粘着面を保護した接着手段たる粘着部材５、５を設けている。
【００２６】
このアタッチメント部材１における少なくともガイド２、２は、セラミックス素材の中でも特に硬質であるアルミナ、ジルコニア、炭化ケイ素等のファインセラミックスを用いるのがよい。
【００２７】
実施例で示しているアタッチメント部材１は、上述のように、アタッチメント部材１の本体であるプレート体たるガイド２、２と折曲片３、３と縁片４、４で構成しているが、ガイド２、２だけ、あるいはガイド２、２と折曲片３、３だけで構成する場合もある。
【００２８】
また、ガイド２、２と折曲片３、３と縁片４、４のそれぞれに設けている粘着部材５を、例えばガイド２、２だけ、あるいはガイド２、２と折曲片３、３にと、選定した箇所のみに設ける場合もある。
【００２９】
そして、図３に示すように、アタッチメント部材１のガイド２、２における縁片４、４をアーム６で接続して、図４に示した巻尺ケース１０の前面下方に配した測定テープ出入り口１０ａ内に配したダンパ７への装着性を、上述するセパレートタイプのものよりも大にできるようにする場合もある。
【００３０】
このアタッチメント部材１を、巻尺ケース１０の前面下方に配した測定テープ出入り口１０ａ内に配したダンパ７（図４参照）に装着する場合は、先ず、アタッチメント部材１のガイド２、２、折曲片３、３、縁片４、４のそれぞれに備える粘着部材５の保護紙（図示は省略）を剥離する。
【００３１】
次いで、ガイド２、２に備える粘着部材５の粘着面を、図５に示すダンパ７の測定テープ通過路７ａ内における測定テープ８の両側縁部８ａ、８ａに対峙する部位たる側壁面７ｂに、また折曲片３、３に備える粘着部材５の粘着面を、同図５に示すダンパ７における当接片の上面７ｃに、また縁片４、４に備える粘着部材５の粘着面を、同図５に示すダンパ７における当接片のフック当接面７ｂにそれぞれ接着することにより、図６に示すように、アタッチメント部材１を巻尺ケース１０の前面下方に配した測定テープ出入り口１０ａ内に配したダンパ７（図４参照）に装着できる。
【００３２】
したがって、アタッチメント部材１における測定テープ８の両側縁部８ａ、８ａに対峙する部位たるガイド２の表面２ａ、２ａを非常に滑らかな面にしてあるので、同表面２ａ、２ａに例えば鋼製の測定テープ８の側縁８ａ、８ａ（図６参照）が接触した場合でも、その摩擦抵抗が小なる値になるようにしている。
【００３３】
実施例における図４中の符号９は、測定テープ８の先端に設けている測定テープ係止用のフック、符号１１は、引き出した測定テープ８を所望の引き出し位置で固定するためのブレーキレバー、符号１２は、巻尺を使用者の腰ベルトに係着させる際に用いるベルトクリップである。
【００３４】
なお、本実施例では保護紙によって粘着面が保護された接着手段として、両面テープ等の粘着部材を用いたものを記載しているが、塗布剤の接着部材を用いたり、或いは、粘着手段を別途添付する場合もある。
【図面の簡単な説明】
【００３５】
【図１】本考案に係るダンパ用のアタッチメント部材を示す斜視図。
【図２】アタッチメント部材の正面図。
【図３】他形態のアタッチメント部材を示す斜視図。
【図４】巻尺を示す正面図。
【図５】巻尺に有するダンパを示す一部切欠き斜視図。
【図６】図５のダンパにアタッチメント部材を装着した状態を示す斜視図。
【符号の説明】
【００３６】
１  アタッチメント部材
２  ガイド
２ａ  表面
２ｂ  裏面
３  折曲片
４  縁片
５  粘着部材
６  アーム
７  ダンパ
７ａ  測定テープ通過路
７ｂ  側壁面
７ｃ  当接片の上面
７ｄ  当接片のフック当接面
８  測定テープ
８ａ  側縁
９  フック
１０  巻尺ケース
１０ａ  測定テープ出入り口
１１  ブレーキレバー
１２  ベルトクリップ
【図１】
0003146256.tif 000003
【図２】
0003146256.tif 000004
【図３】
0003146256.tif 000005
【図４】
0003146256.tif 000006
【図５】
0003146256.tif 000007
【図６】
0003146256.tif 000008